(57)【要約】      （修正有）【課題】使用者が手で振ることにより、液状体の泡立て機能をもつ泡立て器を提供する。【解決手段】液状体を収納し、振ることにより液状体を均一化し、泡立てることを実現する液状体の泡立て器１であって、液状体を収納する収納部１０と、液状体を出し入れする開閉部１１と、収納部の内部に設けられたコイルばね２０とを有し、コイルばねは、両端のうちの一端が収納部内に固定され、振動及び揺動が可能である。コイルばねを固定する一端に対して、自由振動可能な他端はほかの部分に比べてピッチを密にする。【選択図】図１
0003225011.tif 000002
【実用新案登録請求の範囲】
【請求項１】
液状体を収納する上下に延びる収納部と、
前記液状体を出し入れすべく、前記収納部の上部に設けられた開閉部と、
前記収納部の内部であって、上部に固定され、振動及び揺動が可能なコイルばねとを有し、
前記コイルばねの長さは、前記収納部の内側の高さの６０パーセントから８０パーセントであり、
前記コイルばねを構成する線と隣合う線との間隔の長さ、すなわちピッチが、上から順に、前記コイルばねを構成する線の直径の５０パーセント、７５パーセント、１００パーセント、１２５パーセント、１５０パーセントと徐々に広がり、下部においては０パーセントの部分が３巻きから５巻きとなっていて、下部は固定されずに解放されており、
分散させる物と液体とが混合された状態の液状体を収納し、振ることにより前記分散させる物を前記液体に分散させるとともに、泡立てることを実現する液状体の泡立て器。
【請求項２】
液状体を収納する上下に延びる収納部と、
前記液状体を出し入れすべく、前記収納部の上部に設けられた開閉部と、
前記収納部の内部であって、上部に固定され、振動及び揺動が可能なコイルばねとを有し、
前記コイルばねの長さは、前記収納部の内側の高さの６０パーセントから８０パーセントであり、
前記コイルばねを構成する線と隣合う線との間隔の長さ、すなわちピッチが、上から順に、前記コイルばねを構成する線の直径の５０パーセント、７５パーセント、１００パーセント、１２５パーセントと徐々に広がり、下部においては０パーセントの部分が３巻きから５巻きとなっていて、下部は固定されずに解放されており、
分散させる物と液体とが混合された状態の液状体を収納し、振ることにより前記分散させる物を前記液体に分散させるとともに、泡立てることを実現する液状体の泡立て器。
【請求項３】
液状体を収納する上下に延びる収納部と、
前記液状体を出し入れすべく、前記収納部の上部に設けられた開閉部と、
前記収納部の内部であって、上部に固定され、振動及び揺動が可能なコイルばねとを有し、
前記コイルばねの長さは、前記収納部の内側の高さの６０パーセントから８０パーセントであり、
前記コイルばねを構成する線と隣合う線との間隔の長さ、すなわちピッチが、上から順に、前記コイルばねを構成する線の直径の１２５パーセント、１００パーセント、７５パーセント、５０パーセントと徐々に狭まり、さらに、５０パーセント、７５パーセント、１００パーセント、１２５パーセントと徐々に広がり、下部においては０パーセントの部分が３巻きから５巻きとなっていて、下部は固定されずに解放されており、
分散させる物と液体とが混合された状態の液状体を収納し、振ることにより前記分散させる物を前記液体に分散させるとともに、泡立てることを実現する液状体の泡立て器。
【請求項４】
前記コイルバネの材質が、鉄、鋼、ステンレス、チタン、チタン合金、プラスチックのなかのいずれかからなることを特徴とする請求項１から３までのいずれか１項に記載した液状体の泡立て器。
【請求項５】
前記コイルバネを構成する線の直径が１ミリメートルから２ミリメートルであることを特徴とする請求項１から請求項４までのいずれか１項に記載の液状体の泡立て器。
【請求項６】
前記開閉部をねじ式キャップとし、前記収納部の上部に着脱可能な内ぶたを設けて、当該内ぶたは、前記コイルばねの上部を固定することができる形状及び構造を有しており、
前記内ぶた及び前記コイルバネは、はずして洗浄及びメンテナンスが可能であることを特徴とする請求項１から請求項５までのいずれか１項に記載の液状体の泡立て器。
【請求項７】
前記内ぶたは、その中央部が大きく開口し、その周辺部は注ぎ出す際に液状体の流れを導きやすいように、外側から内側に向けて尖った形状を有しており、
前記内ぶた及び前記コイルばねを取り付けたままの状態で、液状体の出し入れが容易にできることを特徴とする請求項６に記載の液状体の泡立て器。
【請求項８】
前記開閉部を構成するねじ式キャップを締めることで、前記内ぶたが固定され、それにより前記コイルばねの固定がなされるような形状及び構造を有し、
使用者は、液状体を収納部に収納した状態で泡立て器全体を手で振り、それにより前記コイルばねを振動及び揺動させることが可能であることを特徴とする請求項６又は請求項７に記載の液状体の泡立て器。
【請求項９】
前記開閉部を構成するねじ式キャップの内側の上部と、前記収納部の上端とが接する部分にパッキンを設け、
前記泡立て器の密閉性を高めて、泡立て器全体を使用者が手に持って振る際の液漏れを防ぐことができることを特徴とする請求項１から請求項８までのいずれか１項に記載の泡立て器。
【請求項１０】
前記開閉部を前記収納部の上部のみならず下部にも設け、
液状体の出し入れをしやすくすることを特徴とする請求項１から請求項９までのいずれか１項に記載の泡立て器。
【請求項１１】
前記開閉部を構成するねじ式キャップの外側の端の部分は、広く平らにし、
前記開閉部の側を下にしてテーブルなどの上に置くことができることを特徴とする請求項１から請求項１０までのいずれか１項に記載の泡立て器。
【請求項１２】
請求項１から請求項１２までのいずれかの液状体の泡立て器を用いて、油相と水相とからなる調味料を均一化し泡立てる調味料泡立て方法であって、
前記収納部に油相と水相とからなる調味料を入れるステップと、
前記開閉部を閉めるステップと、
前記泡立て器全体を手で持ち、振るステップと、
調味料を取り出すステップと
からなる調味料泡立て方法。
【請求項１３】
請求項１から請求項１２までのいずれかの液状体の泡立て器を用いて、食材を均一化し泡立てる食材泡立て方法であって、
前記収納部に食材を入れるステップと、
前記開閉部を閉めるステップと、
前記泡立て器全体を手で持ち、振るステップと、
食材を取り出すステップと
からなる食材泡立て方法。
【請求項１４】
請求項１から請求項１２までのいずれかの液状体の泡立て器を用いて、飲料を均一化し泡立てる飲料泡立て方法であって、
前記収納部に飲料を入れるステップと、
前記開閉部を閉めるステップと、
前記泡立て器全体を手で持ち、振るステップと、
飲料を取り出すステップと
からなる飲料泡立て方法。
【請求項１５】
請求項１から請求項１２までのいずれかの液状体の泡立て器を用いて、洗顔料を均一化し泡立てる洗顔料泡立て方法であって、
前記収納部に洗顔料を入れるステップと、
前記開閉部を閉めるステップと、
前記泡立て器全体を手で持ち、振るステップと、
洗顔料を取り出すステップと
からなる洗顔料泡立て方法。
【請求項１６】
請求項１から請求項１２までのいずれかの液状体の泡立て器を用いて、整髪料を均一化し泡立てる整髪料泡立て方法であって、
前記収納部に整髪料を入れるステップと、
前記開閉部を閉めるステップと、
前記泡立て器全体を手で持ち、振るステップと、
整髪料を取り出すステップと
からなる整髪料泡立て方法。
【請求項１７】
請求項１から請求項１２までのいずれかの液状体の泡立て器を用いて、洗剤を均一化し泡立てる洗剤泡立て方法であって、
前記収納部に洗剤を入れるステップと、
前記開閉部を閉めるステップと、
前記泡立て器全体を手で持ち、振るステップと、
洗剤を取り出すステップと
からなる洗剤泡立て方法。
【請求項１８】
請求項１から請求項１２までのいずれかの液状体の泡立て器を用いて、建設資材を均一化し泡立てる建設資材泡立て方法であって、
前記収納部に建設資材を入れるステップと、
前記開閉部を閉めるステップと、
前記泡立て器全体を手で持ち、振るステップと、
建設資材を取り出すステップと
からなる建設資材泡立て方法。
【請求項１９】
請求項１から請求項１２までのいずれかの液状体の泡立て器を用いて、産業機械油類を均一化し撹拌する産業機械油類撹拌方法であって、
前記収納部に産業機械油類を入れるステップと、
前記開閉部を閉めるステップと、
前記泡立て器全体を手で持ち、振るステップと、
産業機械油類を取り出すステップと
からなる産業機械油類撹拌方法。
【考案の詳細な説明】
【技術分野】
【０００１】
本考案は、泡立て器に関する。とりわけ、液体（油相）と液体（水相）、気体と液体、液体と固体を撹拌して、泡立てる泡立て器に関する。
【背景技術】
【０００２】
特許文献１には、食材撹拌装置が提案されている。食酢と米飯とをドラムに入れて撹拌し、酢飯とする装置を提供するものである。
特許文献２には、薄力粉を含む生地の混練を、オゾンの存在下で行うことが提案されている。
特許文献３には、容器詰め液状調味料であって、食肉をジューシーでソフトな食感・繊維感・食味が得られるものにするものが提案されている。
特許文献４には、容器入り大根おろし含有液状調味料であって、フライ食品と和えるのに適したものが提案されている。
特許文献５には、容器入り分離液状調味料が開示されている。軽く振って油相を水相に分散させ、生野菜等の食材にかけて喫食した際に、水相に粉砕物として配合された野菜類そのものの風味がはっきりと認識でき、しかも、粉砕物が容器底部に沈殿しがたく、外観にすぐれたものが提案されている。
特許文献６には、液状調味料容器が開示されている。内容物が粘度の高い液状調味料であっても、ボトルがしなやかに変形することで排出しやすく、かつ内容物が少なくなっても容器本来の美観を損ないにくいものが提案されている。
特許文献７には、包装容器入り食用油脂類分離型ごま粒子含有液状調味料が開示されている。ゴマ粒子を含有し、食用油脂類、分散剤を含有するものであって、手に持って軽く振るだけで、ゴマ粒子が容易に分散するものである。
特許文献８には、ヒートポンプシステムにおける撹拌装置（液化促進装置）が開示されている。二つの鏡板に閉塞された円筒状の筐体の内部に螺旋バネ（スプリング）を上下動可能に設けたものである。
特許文献９には、サラダドレッシングなどを混合する撹拌組立体について記載されている。容器内部に螺旋形上のテザーと撹拌装置を有し、テザーと撹拌装置とは結合していること、テザーは容器の撹拌又は振とうの間に伸張及び収縮すること、テザーの保持の手段として保持リングを有していること、容器の環状溝に保持リングが嵌合することについて記載されている。
【先行技術文献】
【特許文献】
【０００３】
【特許文献１】特開２０１７−２１２８８９号公報
【特許文献２】特許第４７２４１７５号公報
【特許文献３】特開２０１４−１２４１２３号公報
【特許文献４】特開２０１３−１１１０６４号公報
【特許文献５】特開２０１１−１０９９７３号公報
【特許文献６】特開２０１７−０１９５６２号公報
【特許文献７】特開２００２−３６９６６５号公報
【特許文献８】特開２０１５−２１２６０１号公報
【特許文献９】米国特許出願公開第２０１５／０２９０６０５号明細書
【考案の概要】
【考案が解決しようとする課題】
【０００４】
食材を撹拌することが、食感や食味の提供のためになされている（特許文献１）。撹拌がどれだけ細かく、あるいは均一化されてなされるかが、食感や食味に影響すると考えられる。そして、その撹拌の度合いを高めるために、薄力粉を含む生地の混練をオゾンの存在下で行うことが提案されている（特許文献２）。
液状調味料には、食肉をジューシーでソフトなものにするためのもの（特許文献３）、フライ食品と和えるのに適したもの（特許文献４）、水相と油相からなるものであって容器を振ることで油相を水相に分散させるもの（特許文献５）、ゴマ粒子を含有するものであって、軽く振ることでゴマ粒子が分散するもの（特許文献７）が提案されている。
一方、液状調味料容器としては、しなやかに変形することで排出しやすいものが提案されている（特許文献６）。
また、ヒートポンプシステムにおける撹拌装置であって、円筒状の容器内部に、螺旋バネが設けられた構造を有する撹拌装置が提案されている（特許文献８）。
さらに、サラダドレッシングを混合する撹拌組立体が提案されている（特許文献９）。
【０００５】
液状調味料容器は、排出しやすい材質、形状、構造などが、提案されている（特許文献６）。しかし、分離している成分を分散させ、かつ泡立てるための構造を有する容器については、見当たらない。
その理由としては、液状調味料には、分散剤を用いている（特許文献８など）からであると考えられる。
【０００６】
一般家庭において、ドレッシングなどの調味料を自家製で作る場合には、分散剤を使わない場合があると考えられる。その場合でも、使用者が手で振ることにより、液状体の撹拌機能をもつ容器を提供できる可能性があるのではないか、と本考案の考案者は考えた。
また、そのような撹拌効果を有する構造をもつ液状調味料の容器を、量産タイプの調味料にもちいると、液状調味料の設計の際に分散剤を使わないという選択が可能になり、液状調味料の設計の自由度が増す。
さらにまた、そのような液状調味料の容器は、さまざまな液状体の撹拌をするための調理用の泡立て器として機能し得る。たとえば、薄力粉を水に溶くときに、細かく均一化して泡立てることにより、お好み焼きなどのこな物の食感や、食味を独自のものにすることが可能になる。
食材を泡立てるだけでなく、飲料、たとえばミルク、青汁、スムージー、ジュース、などを泡立てることもできる。
洗顔料（洗顔液、クレンジングオイル）、整髪料（整髪用のリキッドなど）を泡立てることもできる。
洗剤(台所用洗剤、洗濯用洗剤）を泡立てることもできる。
また、建築材料などで、水に溶いて用いるものを撹拌して泡立てることにこの泡立て器を用いることが役立つ。さらに、産業機械油類の撹拌にも役立つ。
【０００７】
本考案の考案者は、この種の撹拌装置の内部構造について、改良を加えることにより、さらなる効果を挙げることができる可能性があると日夜、考えをめぐらし、実験をくり返した。そして、ついに有用な構造、すなわち振動及び揺動可能な螺旋バネを設ける構造を有する泡立て器を見出した。
本考案の目的は、使用者が手で振ることにより、液状体を撹拌し、泡立てる機能をもつ泡立て器を提供することを目的とする。
【課題を解決するための手段】
【０００８】
本考案において、液状体とは、液体（たとえば、水）とそれに分散させる物（たとえば、油、粉、粒など）とが、混合された状態のものをいう。ここで、混合は、均一に混合してる状態である必要はなく、分離して存在していてもよいし、沈殿していてもよいものとする。
本考案に係る液状体の泡立て器は、液状体を収納する上下に延びる収納部と、前記液状体を出し入れすべく、前記収納部の上部に設けられた開閉部と、前記収納部の内部であって、上部に固定され、振動及び揺動が可能なコイルばねとを有し、前記コイルばねの長さは、前記収納部の内側の高さの６０パーセントから８０パーセントであり、前記コイルばねを構成する線と隣合う線との間隔の長さ、すなわちピッチが、上から順に、前記コイルばねを構成する線の直径の５０パーセント、７５パーセント、１００パーセント、１２５パーセント、１５０パーセントと徐々に広がり、下部においては０パーセントの部分が３巻きから５巻きとなっていて、下部は固定されずに解放されており、分散させる物と液体とが混合された状態の液状体を収納し、振ることにより前記分散させる物を前記液体に分散させるとともに、泡立てることを実現するものである。
これにより、使用者は、液状体をこの泡立て器に入れて手で振ることにより、コイルばねを振動及び揺動させることで、分散させる物を液体に分散させ、その直後に開閉部から取り出して用いることができる。
【０００９】
また、液状体を収納する上下に延びる収納部と、前記液状体を出し入れすべく、前記収納部の上部に設けられた開閉部と、前記収納部の内部であって、上部に固定され、振動及び揺動が可能なコイルばねとを有し、前記コイルばねの長さは、前記収納部の内側の高さの６０パーセントから８０パーセントであり、前記コイルばねを構成する線と隣合う線との間隔の長さ、すなわちピッチが、上から順に、前記コイルばねを構成する線の直径の５０パーセント、７５パーセント、１００パーセント、１２５パーセントと徐々に広がり、下部においては０パーセントの部分が３巻きから５巻きとなっていて、下部は固定されずに解放されており、分散させる物と液体とが混合された状態の液状体を収納し、振ることにより前記分散させる物を前記液体に分散させるとともに、泡立てることを実現するものとすることができる。
これにより、コイルばねの自由に振動する端の部分が密な構造となるので、そこをおもりとして、振動及び揺動をさせやすいという効果をもたらす。
【００１０】
本考案に係る液状体の泡立て器は、液状体を収納する上下に延びる収納部と、前記液状体を出し入れすべく、前記収納部の上部に設けられた開閉部と、前記収納部の内部であって、上部に固定され、振動及び揺動が可能なコイルばねとを有し、前記コイルばねの長さは、前記収納部の内側の高さの６０パーセントから８０パーセントであり、前記コイルばねを構成する線と隣合う線との間隔の長さ、すなわちピッチが、上から順に、前記コイルばねを構成する線の直径の１２５パーセント、１００パーセント、７５パーセント、５０パーセントと徐々に狭まり、さらに、５０パーセント、７５パーセント、１００パーセント、１２５パーセントと徐々に広がり、下部においては０パーセントの部分が３巻きから５巻きとなっていて、下部は固定されずに解放されており、分散させる物と液体とが混合された状態の液状体を収納し、振ることにより前記分散させる物を前記液体に分散させるとともに、泡立てることを実現するものである。
これにより、コイルばねの振動の効果を上げて、泡状況、溜状況をよくすることができる。
【００１１】
本考案に係る液状体の泡立て器は、前記コイルバネの材質が、鉄、鋼、ステンレス、チタン、チタン合金、プラスチックのなかのいずれかからなることを特徴とする。
これにより、食材や飲料などを衛生的に泡立てることができる。
【００１２】
前記コイルバネを構成する線の直径が１ミリメートルから２ミリメートルであることを特徴とする。
これにより使用者が振ることによる力が適切に液状体に伝わり泡立てる効率をよくすることができる。
【００１３】
前記開閉部をねじ式キャップとし、前記収納部の上部に着脱可能な内ぶたを設けて、当該内ぶたは、前記コイルばねの上部を固定することができる形状及び構造を有しており、前記内ぶた及び前記コイルバネは、はずして洗浄及びメンテナンスが可能であることを特徴とする。
これにより、泡立てのために振るさいに、内容物がこぼれることを防止し、また、使用後に洗浄して、衛生を保つことが可能である。
【００１４】
前記内ぶたは、その中央部が大きく開口し、その周辺部は注ぎ出す際に液状体の流れを導きやすいように、外側から内側に向けて尖った形状を有しており、前記内ぶた及び前記コイルばねを取り付けたままの状態で、液状体の出し入れが容易にできることを特徴とする。
これにより、内容物の出し入れが容易になる。
【００１５】
前記開閉部を構成するねじ式キャップを締めることで、前記内ぶたが固定され、それにより前記コイルばねの固定がなされるような形状及び構造を有し、使用者は、液状体を収納部に収納した状態で泡立て器全体を手で振り、それにより前記コイルばねを振動及び揺動させることが可能であることを特徴とする。
これにより、泡立て器の組立が容易になされる。
【００１６】
前記開閉部を構成するねじ式キャップの内側の上部と、前記収納部の上端とが接する部分にパッキンを設け、前記泡立て器の密閉性を高めて、泡立て器全体を使用者が手に持って振る際の液漏れを防ぐことができる。
これにより、内容物の漏れを防ぐ。
【００１７】
前記開閉部を前記収納部の上部のみならず下部にも設け、液状体の出し入れをしやすくする。
これにより、コイルバネがない側からの内容物の出し入れをすることができる。
【００１８】
前記開閉部を構成するねじ式キャップの外側の端の部分は、広く平らにし、前記開閉部の側を下にしてテーブルなどの上に置くことができることを特徴とする。
これにより、テーブルの上などに、自立させて置くことができる。
【００１９】
上述のいずれかの液状体の泡立て器を用いて、油相と水相とからなる調味料を均一化し泡立てる調味料泡立て方法であって、前記収納部に油相と水相とからなる調味料を入れるステップと、前記開閉部を閉めるステップと、前記泡立て器全体を手で持ち、振るステップと、調味料を取り出すステップとからなる調味料泡立て方法を提供できる。
これにより、ドレッシングなどを必要に応じて、撹拌し泡立てることができる。
【００２０】
上述のいずれかの液状体の泡立て器を用いて、食材を均一化し泡立てる食材泡立て方法であって、前記収納部に食材を入れるステップと、前記開閉部を閉めるステップと、前記泡立て器全体を手で持ち、振るステップと、食材を取り出すステップとからなる食材泡立て方法を提供できる。
これにより、小麦粉を泡立てること、卵を泡立てること、ココア粉末を水に溶いたもの泡立てること、トマトパウダー、カレー粉などを水に溶いたものを泡立てることなどが可能になる。
【００２１】
上述のいずれかの液状体の泡立て器を用いて、飲料を均一化し泡立てる飲料泡立て方法であって、前記収納部に飲料を入れるステップと、前記開閉部を閉めるステップと、前記泡立て器全体を手で持ち、振るステップと、飲料を取り出すステップとからなる飲料泡立て方法を提供できる。
これにより、牛乳、ジュース、野菜汁、スープ、などを泡立てることができる。
【００２２】
上述のいずれかの液状体の泡立て器を用いて、洗顔料を均一化し泡立てる洗顔料泡立て方法であって、前記収納部に洗顔料を入れるステップと、前記開閉部を閉めるステップと、前記泡立て器全体を手で持ち、振るステップと、洗顔料を取り出すステップとからなる洗顔料泡立て方法を提供できる。
これにより、洗顔液、クレンジングオイルなどを泡立てることができる。
【００２３】
上述のいずれかの液状体の泡立て器を用いて、整髪料を均一化し泡立てる整髪料泡立て方法であって、前記収納部に整髪料を入れるステップと、前記開閉部を閉めるステップと、前記泡立て器全体を手で持ち、振るステップと、整髪料を取り出すステップとからなる整髪料泡立て方法を提供できる。
これにより、整髪用リキッドなどの整髪料を泡立てることができる。
【００２４】
上述のいずれかの液状体の泡立て器を用いて、洗剤を均一化し泡立てる洗剤泡立て方法であって、前記収納部に洗剤を入れるステップと、前記開閉部を閉めるステップと、前記泡立て器全体を手で持ち、振るステップと、洗剤を取り出すステップとからなる洗剤泡立て方法を提供できる。
これにより、台所用洗剤、洗濯用洗剤などの洗剤を泡立てることができる。
【００２５】
上述のいずれかの液状体の泡立て器を用いて、建設資材を均一化し泡立てる建設資材泡立て方法であって、前記収納部に建設資材を入れるステップと、前記開閉部を閉めるステップと、前記泡立て器全体を手で持ち、振るステップと、建設資材を取り出すステップとからなる建設資材泡立て方法を提供できる。
これにより、たとえば、セメントを水に溶いて泡立てることができる。
さらに、上述のいずれかの液状体の泡立て器を用いて、産業機械油類を均一化し撹拌する産業機械油類撹拌方法であって、前記収納部に産業機械油類を入れるステップと、前記開閉部を閉めるステップと、前記泡立て器全体を手で持ち、振るステップと、産業機械油類を取り出すステップとからなる産業機械油類撹拌方法を提供できる。
これにより、たとえば、油圧ポンプに用いる油を撹拌して均一化することができる。
【００２６】
本考案に係る液状体の泡立て器は、前記収納部を透明なものとしたことを特徴とする。これにより、使用者は、内部の液状体の分散状況、混合状況、あわ立ちの状況、沈殿物の状況を視認することができる。
【考案の効果】
【００２７】
本考案に係る液状体の泡立て器、調味料泡立て方法、食材泡立て方法、飲料泡立て方法、洗顔料泡立て方法、整髪料泡立て方法、洗剤泡立て方法、建設資材泡立て方法は、使用者が液状体をこの泡立て器に入れて手で振ることにより、コイルばねを振動及び揺動させることで、分散させる物を液体に分散させ、泡立てて、その直後に開閉部から取り出して用いることができるという効果を有する。
【図面の簡単な説明】
【００２８】
【図１】本考案に係る液状体の泡立て器（調理用泡立て器、液状体の容器、調味料の容器）の外観を示す斜視図である。
【図２】本考案の液状体の泡立て器（調理用泡立て器、液状体の容器、調味料の容器）の断面図である。
【図３】本考案の液状体の泡立て器（調理用泡立て器、液状体の容器、調味料の容器）の組立図である。
【図４】本考案の液状体の泡立て器に液状体を収納した状態を描いた図（図４(a)）、及び液状体を収納した泡立て器にコイルばねと開閉部とを取り付けた状態を描いた図（図４(b)）である。
【図５】人力レベル１で上下運動したときの様子をコイルばねありのとき（図５(a)）、コイルばねなしのとき（図５(b))について、それぞれ示したものである。
【図６】人力レベル２で上下運動したときの様子をコイルばねありのとき（図６(a)）、コイルばねなしのとき（図６(b))について、それぞれ示したものである。
【図７】人力レベル３で上下運動したときの様子をコイルばねありのとき（図７(a)）、コイルばねなしのとき（図７(b))について、それぞれ示したものである。
【図８】人力レベル４で上下運動したときの様子をコイルばねありのとき（図８(a)）、コイルばねなしのとき（図８(b))について、それぞれ示したものである。
【図９】撹拌して１時間経過後の状態をコイルばねありのとき（図９(a)）、コイルばねなしのとき（図９(b))について、それぞれ示したものである。
【図１０】コイルのピッチを変化させた５つの例を示す図である。
【図１１】コイルのピッチを変化させた５つの泡立て器についての実験結果を示す表である。
【図１２】開閉部を構成するねじ式のキャップを上部のみならず、下部にも設けた実施例を示す斜視図である。
【図１３】牛乳を泡立てて、泡立ちミルクを作る様子を示す図である（ａからｆ）。
【図１４】牛乳を泡立てて、泡立ちミルクを作る様子を示す図である（ｇからｊ）。
【図１５】スムージーを泡立てる様子を示す図である（ａからｉ）。
【図１６】スムージーを泡立てる様子を示す図である（ｊからｍ）。
【図１７】台所用洗剤を泡立てる様子を示す図である（ａからｉ）。
【図１８】台所用洗剤を泡立てる様子を示す図である（ｊからｒ）。
【図１９】ドレッシングを泡立てた様子を示す図である（ａからｃ）。
【考案を実施するための形態】
【００２９】
以下、図面を参照しつつ本考案の実施形態について説明する。図中の符号が同一のものは、同様の構成、機能を有する。
【００３０】
＜実施形態＞
＜構成＞
図１は、本考案に係る液状体の泡立て器１の外観を示す斜視図である。収納部１０は、液状体を収納することができる容器である。望ましくは、透明又は半透明の部材からなり、内容物の分離、沈殿、分散などの状況が視覚にて確認できるようになっている。また、望ましくは、収納部１０は、自立可能な形状であり、たとえば冷蔵庫内に立てて置くことができるようになっている。
図１に描いた収納部１０の形状は、円柱に近いものを描いたが、他の形状であってもよい。
【００３１】
収納部１０の上部には、開閉部１１が設けられ、収納部１０に液状体を出し入れ可能となっている。ここでは、ネジ式のキャップにて開閉部１１を構成している。締めた状態で、手で振っても、内容物がこぼれないような密閉性を保持することができるものであることが望ましい。締めた状態における密閉性を保持できれば、ネジ式にかぎらず、嵌め込み式などの他の開閉部を用いることもできる。
【００３２】
図１では、開閉部１１を締めた状態を描いている。収納部１０の内部であって、上部には、コイルばね２０が設けられる。コイルばね２０は、その上部を収納部１０の内側に固定されて、下部は、固定されず自由に振動及び揺動が可能となっている。コイルばね２０の材質は、たとえば、鉄（鋼）、ステンレス、チタン、チタン合金、プラスチックなどを用いることができる。コイルばね２０を構成する線は、その表面がさまざまな面を有して凹凸を持つようにしてもよい。
【００３３】
コイルばね２０の径は、図１に示すように、収納部１０の内側の水平方向の大きさよりも小さい大きさであって、液状体の泡立て器１を使用者が手に持って振るときに、コイルばね２０が、振動及び揺動可能な空間的な余地があるようになっている。ここで、振動は、コイルばね２０の伸び縮みの方向に動くことをいい、揺動は、伸び縮みの方向とは垂直の方向に揺れる動きをいうものとする。
コイルばね２０の長さは、収納部２０の内側の高さの６０パーセントから８０パーセントが望ましい。短すぎると、液状体全体の撹拌効率が望めない。長すぎると、振動及び揺動の自由度が狭くなる。
【００３４】
コイルバネ２０が、揺動及び振動し、液状体に対する剪断効果を奏する。また、コイルバネ２０の表面がさまざまな面を有して、凹凸をもつようにする場合は、コイルばね２０の表面形状によっても液状体に対する剪断効果を奏する。この結果、液状体が微細化、均一化され、分散を促進する。
【００３５】
図２は、本考案の液状体の泡立て器（調理用泡立て器、液状体の容器、調味料の容器）を鉛直方向で切った断面図である。収納部１０の上部には、ネジきりがなされて、開閉部１１が、ネジの切られたキャップとして構成されている。そして、開閉部の内側には、内ぶた１２が設けられて、収納部１０の上部に嵌めこまれて、内ぶた１２には、コイルばね２０の上部が固定される。
内ぶた１２は、着脱可能、すなわち、嵌めたり外したりすることが可能にすることが望ましい。収納部１０の洗浄、コイルばね２０の洗浄を容易にするためである。また、内ぶた１２を嵌めて、開閉部１１を締めた状態にあっては、内ぶた１２がきつく固定されてコイルばね２０の上部の固定が確実になされるように、開閉部１１が内ぶた１２を押し付ける構成にすることが望ましい。
また、内ぶた１２は、液状体の出し入れがしやすい形状を有することが望ましい。液状体を入れる際に、入れやすいよう十分に広い空間の穴を有しており、液状体を出す際に注ぎやすいように、適量が淀みなく出ることのできる注ぎ口に適した形状を有することが望ましい。
【００３６】
図３は、本考案の液状体の泡立て器（調理用泡立て器、液状体の容器、調味料の容器）１の組立図である。図３に描かれているように、内ぶた１２は、その中央部が大きく開口しており、液状体を収納部１０に注ぎ込む際に入れやすい形状となっている。また、内ぶた１２は、その周辺部において、注ぎ出す際に液状体の流れを導きやすいように、外側から内側に向けて尖った形状を有している。
また、内ぶた１２は、コイルばね２０の上部を固定することができる形状、構造を有している。コイルばね２０の上部を構成する線は、内ぶた１２に固定できるように曲げられた形状を有しており、内ぶた１２に嵌め合わせて固定できるようになっている。
図３に示すように、コイルばね２０を内ぶた１２に固定し、コイルばね２０を収納部１０に入れて、内ぶた１２を収納部１０の上部に嵌め合わせる。そして、開閉部１１を収納部１０にねじ込んで装着する。このようにして、本考案の液状体の泡立て器（調理用泡立て器、液状体の容器、調味料の容器）１は、組み立てられる。
収納部１０の最上部の端が、開閉部１１の内側に接する部分には、パッキンが設けられる。開閉部１１を締めた際の密閉性を高めて、使用者が手で振っても液状体がしみ出ないようにするためである。
【００３７】
≪水にサラダ油を分散させる≫
図４は、本考案の液状体の泡立て器に液状体を収納した状態を描いた図（図４(a)）、及び液状体を収納した泡立て器にコイルばねと開閉部とを取り付けた状態を描いた図（図４(b)）である。
ここでは、収納部１０が、透明のボトルである。５００ｍｌの容量を有する。水３００ｍｌとサラダ油２５ｍｌを入れた状態を示している。油相が分離して、水の上に浮かんでいる状態が図４に示されている。
以下、使用者が泡立て器を持って振る力の入れ具合について、４つのレベルに分けて説明する。最も力を入れて強く振る状態を人力レベル４とし、最も弱く振る状態を人力レベル１とし、その中間に人力レベル２、人力レベル３を設定する。力の弱いほうから強いほうに向かって、人力レベル１、人力レベル２、人力レベル３、人力レベル４である。
【００３８】
図５は、人力レベル１で上下運動したときの様子をコイルばねありのとき（図５(a)）、コイルばねなしのとき（図５(b))について、それぞれ示したものである。
コイルばねありのときは、コイルばねの上下運動で弾性エネルギーが働き油が微細化され黄白色に変化し、微細化された油玉が水に少数溶け込んで（分散して）いる。
コイルばねなしのときは、油の揺れているのが確認できるが、油の微細化、油玉の水への溶け込み（分散）は認められない。
【００３９】
図６は、人力レベル２で上下運動したときの様子をコイルばねありのとき（図６(a)）、コイルばねなしのとき（図６(b))について、それぞれ示したものである。
コイルばねありのとき、レベル２の上下運動では、弾性エネルギーによる動きが大きくなり、油・水がコイルばねの機械的な仕事で上下に移動させられ、撹拌されている。微細化された油玉が水に多数溶け込んで（分散して）いる。
コイルばねなしのとき、レベル２の上下運動で油が跳ね上がり、下がる力で水中にはいる。水中に入った油は、かたまり状態のままであって、水への溶け込み（分散）はない。
【００４０】
図７は、人力レベル３で上下運動したときの様子をコイルばねありのとき（図７(a)）、コイルばねなしのとき（図７(b))について、それぞれ示したものである。
コイルばねありのとき、レベル３の上下運動では、コイルばねの機械的な仕事の動きが大きくなり油・水が撹拌しあい、微細化された油玉が水全体に均等に溶け込んで（分散して）いる。
コイルばねなしのとき、微細化された油玉が少数水に溶け込んで（分散して）いる。
【００４１】
図８は、人力レベル４で上下運動したときの様子をコイルばねありのとき（図８(a)）、コイルばねなしのとき（図８(b))について、それぞれ示したものである。
コイルばねありのとき、レベル４ではコイルばねの機械的な仕事と固有振動の動きが大きくなり油・水が撹拌しあい、超微細化油玉と超微細化水が全体に均等に溶け込んで（分散して）いる。油と水とが超微細化されることで、黄褐色であった油が黄白色に変化した。
コイルばねなしのとき、上部の跳ね上がりと下がる力で油と水が撹拌し細分化されている。水相の上部は撹拌した微細化した油玉が多数水に溶け込んで（分散して)いるが、水相の下部は溶け込んで（分散して）いない。
【００４２】
図９は、撹拌して１時間経過後の状態をコイルばねありのとき（図９(a)）、コイルばねなしのとき（図９(b))について、それぞれ示したものである。
コイルばねありのとき、油が超微細化されるので、水相に溶け込む溶解率（分散する度合い）が少なくなり水相に透明感がある。
コイルばねなしのとき、油が微細化程度なので、水相に溶け込む溶解率（分散する度合い）が多くなり水相に白濁感がある。
【００４３】
コイルばねが振動・揺動すると、元に戻ろうとする復元力が働く。またコイルばねが変化するとき蓄えられた弾性エネルギーを放出させられ機械的な仕事を行う（エネルギーの蓄積と放出）。コイルばねを吊るし下に引っ張り放すと、一定の振動数で上下に震動する固有振動数により、油、水は撹拌され、超微細化することが確認できた。
【００４４】
≪コイルばねのピッチを変化させた実験≫
図１０は、コイルのピッチを変化させた５つの例、コイルばねＡ，Ｂ，Ｃ，Ｄ，Ｅを示す図である。５つのコイルばねは、いずれも長さを１１センチ（１１０ｍｍ）としており、上部を内ぶたに固定して、本考案の泡立て器を構成するものである。図１０においては、収納部や、開閉部、内ぶたを描くのを省略している。また、コイルばねを内ぶたにとりつける部分も描くのを省略している。
また、コイルばねの材質は、鋼を使用し、直径が２ｍｍのものを用いている。コイルばねを構成する線材の径は、１ミリメートルから２ミリメートルが適している。
【００４５】
コイルばねのピッチは、コイルばねを構成する鋼の線と隣り合う鋼の線との間隔の長さをいうものとする。すきまなく巻いている状態は、密巻と呼ぶ。また、ピッチが１ｍｍの状態を小密と呼ぶこととする。
コイルばねＡは、上部固定の位置から下に向かって１５ｍｍの部分はピッチが２．５ｍｍ、次の１５ｍｍはピッチが２．０ｍｍ、次の１５ｍｍはピッチが１．５ｍｍ、次の１０ｍｍはピッチが１．０ｍｍ（小密）、次の１５ｍｍはピッチが１．５ｍｍ、次の１５ｍｍはピッチが２．０ｍｍ、次の１５ｍｍはピッチが２.５ｍｍ、最後の１０ｍｍはピッチが０．０ｍｍ（密巻）としている。すなわち、広い→狭い→小密→狭い→広い→密巻となっており、下部は、解放されている（固定されていない）。
コイルばねＢは、上部固定の位置から下に向かって２５ｍｍの部分はピッチが１．０ｍｍ（小密）、次の２５ｍｍはピッチが１．５ｍｍ、次の２５ｍｍはピッチが２．０ｍｍ、次の２５ｍｍはピッチが２．５ｍｍ、最後の１０ｍｍはピッチが０．０ｍｍ（密巻）としている。すなわち、小密→狭い→広い（２．５ｍｍ）→密巻となっており、下部は解放されている（固定されていない）。
【００４６】
コイルばねＣは、上部固定の位置から下に向かって１０ｍｍの部分はピッチが１．０ｍｍ（小密）、次の２０ｍｍはピッチが２．５ｍｍ、次の２０ｍｍはピッチが２．０ｍｍ、次の２０ｍｍはピッチが１．５ｍｍ、次の２０ｍｍはピッチが２．０ｍｍ、最後の２０ｍｍはピッチが２．５ｍｍ（密巻）としている。すなわち、密巻→広い→狭い→広い（２．５ｍｍ）となっており、下部は解放されている（固定されていない）。
コイルばねＤは、上部固定の位置から下に向かって２０ｍｍの部分はピッチが１．０ｍｍ（小密）、次の２０ｍｍはピッチが１．５ｍｍ、次の２０ｍｍはピッチが２．０ｍｍ、次の２０ｍｍはピッチが２．５ｍｍ、次の２０ｍｍはピッチが３．０ｍｍ、最後の１０ｍｍはピッチが０ｍｍ（密巻）としている。すなわち、小密→狭い→広い（３．０ｍｍ）→密巻となっており、下部は解放されている（固定されていない）。
コイルばねＥは、上部固定の位置から下に向かって２５ｍｍの部分はピッチが１．０ｍｍ（小密）、次の２５ｍｍはピッチが１．５ｍｍ、次の２５ｍｍはピッチが２．０ｍｍ、最後の２５ｍｍはピッチが２．５ｍｍとしており、下部は、固定されている。すなわち、小密→狭い→広い→下部固定となっている。
【００４７】
図１１は、コイルばねＡ，Ｂ，Ｃ，Ｄ，Ｅをそれぞれ用いた泡立て器を用いて、撹拌の効果を比較する実験結果を示す表である。
手で振って振動した状況からみて、よく振動した順で並べると、Ｄ→Ｂ→Ａ→Ｃ→Ｅであった。
２０回振って５分後の様子、５０回振って１５分後の様子、８０回振って２０分後の様子、１００回振って２５分後の様子、１３０回振って３０分後の様子を観察した。その結果を図１１の表にしてある。
表の中で「泡状況」とあるのは、泡が立っている状況である。「溜状況」とあるのは、沈殿物の状況であり、数字が小さいのは、沈殿物が少ないことを意味している。表の中で、×は混合（分散）が十分になされていないことを示す。△は、混合（分散）が不十分であることを示す。〇は、混合（分散）が十分になされていることを示す。◎は、混合（分散)が優れていることを示す。
これらのデータを勘案して総合順位をつけると、Ｄ→Ａ→Ｂ→Ｃ→Ｅという評価となる。
【００４８】
図１２は、開閉部を構成するねじ式のキャップを上部のみならず、下部にも設けた実施例を示す斜視図である。図１２に描かれているように、下部開閉部３１をも設ける。下部開閉部３１は、ねじ式のキャップにより構成することができる。キャップの最下端の部分は、テーブルなどの水平な部分に立てることができるよう、広く、平らに形成することが望ましい。下部開閉部３１の内側には、収納部１０と接する部分にパッキンを設けて液状体の液漏れを防止する。
本明細書において、上部は、コイルばね２０を固定する側をいい、下部は、その反対側をいう。下部開閉部のキャップの端を広く平らにするのと同様に、上部の開閉部側もねじ式のキャップの端を広く平らにすることにより、どちらを下にしておくこともできるようにする実施例も可能である。
【００４９】
図１３及び図１４は、牛乳を泡立てて、泡立ちミルクを作る様子を示す図である。
（ａ）は、二つのカップに牛乳を等量、５０ｃｃほど入れた様子を示す。
（ｂ）は、泡立て器の収納部、コイルばね、開閉部とが分解されている様子を示す。ここでは、開閉部は、とがった注ぎ口を設けたものとしている。
（ｃ）は、二つのカップのうちの一つに入っていた牛乳を泡立て器の収納部に注ぎ入れる様子を示す。
（ｄ）は、牛乳を注ぎ入れた後、コイルばねを挿入する様子を示す。
（ｅ）は、開閉部を閉める様子を示す。
（ｆ）は、使用者が手に持ち、上下に振る様子を示す。ここでは、５０回振る。
（ｇ）は、開閉部を開ける様子を示す。
（ｈ）は、コイルばねを取り出す様子を示す。
（ｉ）は、内容物をカップに戻す様子を示す。
（ｊ）は、二つのカップを比べる様子を示す。容積が２５０パーセントほどになっており、泡立っていることがわかる。
【００５０】
図１５及び図１６は、スムージーを泡立てる様子を示す図である。
（ａ）は、市販のスムージーを一個、開けようとする様子を示す。
（ｂ）は、スムージーを均等に二つのカップに分ける様子をしめす。
（ｃ）は、泡立て器の収納部と、コイルばねと、開閉部を準備する様子を示す。
（ｄ）は、二つのカップのうちの一つを収納部にそそぐ様子を示す。
（ｅ）は、コイルばねを挿入する様子を示す。
（ｆ）は、開閉部を閉める様子を示す。
（ｇ）は、振る様子をしめす。
（ｈ）は、開閉部を開ける様子を示す。
（ｉ）は、コイルばねを取り除いて、内容物をカップに戻す様子を示す。
（ｊ）は、カップに注ぎ終えるところを示す。
（ｋ）は、泡立てていないスムージーの様子を示す。
（ｌ）は、泡立てたあとのスムージーの様子を示す。
（ｍ）は、泡立てないものと泡立てたものを比較する様子を示す。泡立てたほうは、泡の分だけ、容積が増えて１１０パーセントほどになっている。
【００５１】
図１７及び図１８は、台所用洗剤を泡立てる様子を示す図である。
（ａ）は、開閉部を開ける様子を示す。
（ｂ）は、外した開閉部を置く様子を示す。
（ｃ）は、コイルばねを取り出して置く様子を示す。
（ｄ）は、３０ｃｃの計量カップを手に持つ様子を示す。
（ｅ）は、３０ｃｃの計量カップに水をくむ様子を示す。
（ｆ）は、３０ｃｃの水を収納部に注ぎ入れる様子を示す。
（ｇ）は、台所用洗剤を１０ｃｃほど、収納部に加える様子を示す。
（ｈ）は、コイルばねを手に取る様子を示す。
（ｉ）は、コイルばねを収納部に挿入する様子を示す。
（ｊ）は、開閉部を閉める様子を示す。
（ｋ）は、振る様子を示す。
（ｌ）は、５０回振った後の様子を示す。
（ｍ）は、開閉部のキャップを取り外す様子を示す。
（ｎ）は、収納部を押して、内容物を押し出す様子を示す。
（ｏ）は、泡立った洗剤が手のひらからあふれ出し、こぼれる様子を示す。
（ｐ）は、収納部がすっかり空になった様子を示す。
（ｑ）は、泡立ちの様子を示す。すっかり泡立っている。
（ｒ）は、指の間から泡立った洗剤がしみ出る様子を示す。
【００５２】
図１９は、ドレッシングを泡立てた様子を示す図である。
左は、比較のために、何もしないものを置いている。左から二番目はコイルばねがないもの、左から３番目は、コイルバネがあるものを示す。
（ａ）は、泡立てる前の様子を示す。
（ｂ）は、１００回振って泡立てた直後の様子を示す。
（ｃ）は、三日後の様子を示す。
コイルバネのあるものは、油相が水相とまじりあう度合いが強く、より均一になる。そして、三日たった後にも、分離する度合いが少ない。
【００５３】
＜作用・機序＞
本考案に係る泡立て器の作用・機序は、二つの観点から説明できる。
第一に、コイルばねが振動・揺動することで、液状体をかき回すことである。これにより、油のかたまり、粒のかたまり、沈殿物のかたまりなどをせん断して小さくし、液状体に分散させる。
第二に、音の倍音共鳴（スケーリング共鳴）による作用・機序が考えられる。
本考案に係る泡立て器に、液状体を収納し、開閉部を締めて、使用者が手に持って振ると、コイルばねに衝撃が加わる。そして、その衝撃により、コイルばねが振動及び揺動する。その振動及び揺動が伝わっていくことで、音（可聴域のものに限らず、それよりも低い音、あるいはそれよりも高い音の可能性を含む）が生じる。使用者が複数回にわたって泡立て器を振ると、この音も持続的に生じ続ける。
一方、液状体に混在している油のかたまり、粒のかたまり、沈殿物のかたまりなどは、分子のクラスタとして存在していると考えられる。そして、それらがぶつかり合う際にも、音が生じる。
コイルばねの振動及び揺動により生じる音と、液状体に混在している分子のクラスタ同士がぶつかる際に生じる音とは、倍音（高調波）の関係になり得る。バネの振動、揺動により発生する音の倍音（高調波）が、液状体に混在している分子のクラスタのぶつかり合いに倍音共鳴（スケーリング共鳴）を起こすことがなされる。それにより液状体の混合撹拌、ひいては油、粒、沈殿物などの分散が促進される。
ここで、スケーリング共鳴は、数十オクターブ上の高調波（倍音）において、共鳴をする現象である。「タンパク質の音楽」（深川洋一著  ちくまプリマーブックス）に用いられている概念である。
共振と共鳴とは、似た概念であるが、本明細書においては、切り分けて考えることにする。たとえば、同じ金属枠（固体）に固定された二つの弦が、片方を振動させたときに、他方も振動する。この場合は、振動が木の金属枠という固体を通じて伝わるので、共振である。他方で、水や空気など（流体）をつたって音がつたわってその結果振動するのは、共鳴である。
本考案に係る泡立て器の場合、コイルばねから、油、粒、沈殿物などの分子に振動がつたわるのは、流体（液状体）を介してなされる。したがって、共鳴というべきである。そこで、音の倍音共鳴又はスケーリング共鳴が機能していると考えられる。
本考案に係る泡立て器において、液状体のマクロの挙動に着目すると、液状体は、使用者が振ることによって、動いて、コイルばねに衝撃を与えて、コイルばねを振動・揺動させる働きをする。一方、液状体のミクロの挙動に着目すると、液状体に含まれる油、粒、沈殿物などのクラスタ（分子がいくつかくっついたかたまり）が、倍音共鳴又はスケーリング共鳴により、そのクラスタの大きさを小さくするように力を受ける。これによりせん断効果を受けて、油、粒、沈殿物などがそのクラスタを小さくして、均一混合をする。
【００５４】
≪建築材料、洗剤、整髪料、洗顔液への応用≫
液状体は、食材にかぎらない。たとえば、建築材料で水に分散させて（溶いて）用いるものにも用いることができる。また、洗剤（液体洗剤、粉洗剤を水に溶いたもの）、整髪料（整髪用のリキッドなど）、洗顔液（クレンジングオイルなど）にも応用できる。
【００５５】
さらに、産業機械油類にも適用できる。この泡立て器を使用して均一化した産業機械油類を機械に使用することで、機械の効率的な運用を図ることができる。ここで、産業は、化学工業、建設業、食品加工業など、さまざまな産業を含む。そして、産業機械は、産業車両など自走式の機械と、固定式の機械の双方を含む。具体的には、油圧ポンプ、ボイラ、原動機などを含む。機械油は、油圧ポンプにおける作動油、他の機械における潤滑油を含む。
特に、建設業の現場において用いる油圧ポンプ、油圧装置においては、現場において機械油を補充する必要が生じる。その場合に、補充に必要な油を均一化させて充填するのに、本考案に係る泡立て器が役立つ。
【００５６】
≪調理用泡立て器、液状体の容器、調味料容器への適用≫
本考案の泡立て器は、調理用泡立て器、液状体の容器、調味料容器への適用が可能である。
【産業上の利用可能性】
【００５７】
油相を水相に分散させて用いるドレッシングタイプの調味料の泡立て器又は容器として利用可能である。また、薄力粉などの粉を水に分散させる（溶かす）際に用いる泡立て器又は容器として利用可能である。牛乳を泡立てる泡立て器として利用可能である。さらにまた、食材に限らず、建設用資材、洗剤、整髪料、洗顔液など、粉又は油を水に分散させて用いる際の泡立て器又は容器として利用可能である。さらに、産業機械油類の撹拌にも応用可能である。
【符号の説明】
【００５８】
１  液状体の泡立て器
１０  収納部
１１  開閉部
１２  内ぶた
２０  コイルバネ
３１  下部開閉部
【図１】
0003225011.tif 000003
【図２】
0003225011.tif 000004
【図３】
0003225011.tif 000005
【図４】
0003225011.tif 000006
【図５】
0003225011.tif 000007
【図６】
0003225011.tif 000008
【図７】
0003225011.tif 000009
【図８】
0003225011.tif 000010
【図９】
0003225011.tif 000011
【図１０】
0003225011.tif 000012
【図１１】
0003225011.tif 000013
【図１２】
0003225011.tif 000014
【図１３】
0003225011.tif 000015
【図１４】
0003225011.tif 000016
【図１５】
0003225011.tif 000017
【図１６】
0003225011.tif 000018
【図１７】
0003225011.tif 000019
【図１８】
0003225011.tif 000020
【図１９】
0003225011.tif 000021
【手続補正書】
【提出日】令和1年10月1日(2019.10.1)
【手続補正１】
【補正対象書類名】実用新案登録請求の範囲
【補正対象項目名】全文
【補正方法】変更
【補正の内容】
【実用新案登録請求の範囲】
【請求項１】
液状体を収納する上下に延びる収納部と、
前記液状体を出し入れすべく、前記収納部の上部に設けられた開閉部と、
前記収納部の内部であって、上部に固定され、振動及び揺動が可能なコイルばねとを有し、
前記コイルばねの長さは、前記収納部の内側の高さの６０パーセントから８０パーセントであり、
前記コイルばねを構成する線と隣合う線との間隔の長さ、すなわちピッチが、上から順に、前記コイルばねを構成する線の直径の５０パーセント、７５パーセント、１００パーセント、１２５パーセント、１５０パーセントと徐々に広がり、下部においては０パーセントの部分が３巻きから５巻きとなっていて、下部は固定されずに解放されており、
分散させる物と液体とが混合された状態の液状体を収納し、振ることにより前記分散させる物を前記液体に分散させるとともに、泡立てることを実現する液状体の泡立て器。
【請求項２】
液状体を収納する上下に延びる収納部と、
前記液状体を出し入れすべく、前記収納部の上部に設けられた開閉部と、
前記収納部の内部であって、上部に固定され、振動及び揺動が可能なコイルばねとを有し、
前記コイルばねの長さは、前記収納部の内側の高さの６０パーセントから８０パーセントであり、
前記コイルばねを構成する線と隣合う線との間隔の長さ、すなわちピッチが、上から順に、前記コイルばねを構成する線の直径の５０パーセント、７５パーセント、１００パーセント、１２５パーセントと徐々に広がり、下部においては０パーセントの部分が３巻きから５巻きとなっていて、下部は固定されずに解放されており、
分散させる物と液体とが混合された状態の液状体を収納し、振ることにより前記分散させる物を前記液体に分散させるとともに、泡立てることを実現する液状体の泡立て器。
【請求項３】
液状体を収納する上下に延びる収納部と、
前記液状体を出し入れすべく、前記収納部の上部に設けられた開閉部と、
前記収納部の内部であって、上部に固定され、振動及び揺動が可能なコイルばねとを有し、
前記コイルばねの長さは、前記収納部の内側の高さの６０パーセントから８０パーセントであり、
前記コイルばねを構成する線と隣合う線との間隔の長さ、すなわちピッチが、上から順に、前記コイルばねを構成する線の直径の１２５パーセント、１００パーセント、７５パーセント、５０パーセントと徐々に狭まり、さらに、５０パーセント、７５パーセント、１００パーセント、１２５パーセントと徐々に広がり、下部においては０パーセントの部分が３巻きから５巻きとなっていて、下部は固定されずに解放されており、
分散させる物と液体とが混合された状態の液状体を収納し、振ることにより前記分散させる物を前記液体に分散させるとともに、泡立てることを実現する液状体の泡立て器。
【請求項４】
前記コイルバネの材質が、鉄、鋼、ステンレス、チタン、チタン合金、プラスチックのなかのいずれかからなることを特徴とする請求項１から３までのいずれか１項に記載した液状体の泡立て器。
【請求項５】
前記コイルバネを構成する線の直径が１ミリメートルから２ミリメートルであることを特徴とする請求項１から請求項４までのいずれか１項に記載の液状体の泡立て器。
【請求項６】
前記開閉部をねじ式キャップとし、前記収納部の上部に着脱可能な内ぶたを設けて、当該内ぶたは、前記コイルばねの上部を固定することができる形状及び構造を有しており、
前記内ぶた及び前記コイルバネは、はずして洗浄及びメンテナンスが可能であることを特徴とする請求項１から請求項５までのいずれか１項に記載の液状体の泡立て器。
【請求項７】
前記内ぶたは、その中央部が大きく開口し、その周辺部は注ぎ出す際に液状体の流れを導きやすいように、外側から内側に向けて尖った形状を有しており、
前記内ぶた及び前記コイルばねを取り付けたままの状態で、液状体の出し入れが容易にできることを特徴とする請求項６に記載の液状体の泡立て器。
【請求項８】
前記開閉部を構成するねじ式キャップを締めることで、前記内ぶたが固定され、それにより前記コイルばねの固定がなされるような形状及び構造を有し、
使用者は、液状体を収納部に収納した状態で泡立て器全体を手で振り、それにより前記コイルばねを振動及び揺動させることが可能であることを特徴とする請求項６又は請求項７に記載の液状体の泡立て器。
【請求項９】
前記開閉部を構成するねじ式キャップの内側の上部と、前記収納部の上端とが接する部分にパッキンを設け、
前記泡立て器の密閉性を高めて、泡立て器全体を使用者が手に持って振る際の液漏れを防ぐことができることを特徴とする請求項６から請求項８までのいずれか１項に記載の泡立て器。
【請求項１０】
前記開閉部を前記収納部の上部のみならず下部にも設け、
液状体の出し入れをしやすくすることを特徴とする請求項６から請求項９までのいずれか１項に記載の泡立て器。
【請求項１１】
前記開閉部を構成するねじ式キャップの外側の端の部分は、広く平らにし、
前記開閉部の側を下にしてテーブルなどの上に置くことができることを特徴とする請求項６から請求項１０までのいずれか１項に記載の泡立て器。
【請求項１２】
請求項１から請求項１２までのいずれかの液状体の泡立て器であって、
前記液状体は、油相と水相とからなる調味料であることを特徴とする泡立て器。
【請求項１３】
請求項１から請求項１２までのいずれかの液状体の泡立て器であって、
前記液状体は、食材であることを特徴とする泡立て器。
【請求項１４】
請求項１から請求項１２までのいずれかの液状体の泡立て器であって、
前記液状体は飲料であることを特徴とする泡立て器。
【請求項１５】
請求項１から請求項１２までのいずれかの液状体の泡立て器であって、
前記液状体は、洗顔料であることを特徴とする泡立て器。
【請求項１６】
請求項１から請求項１２までのいずれかの液状体の泡立て器であって、
前記液状体は、整髪料であることを特徴とする泡立て器。
【請求項１７】
請求項１から請求項１２までのいずれかの液状体の泡立て器であって、
前記液状体は、洗剤であることを特徴とする泡立て器。
【請求項１８】
請求項１から請求項１２までのいずれかの液状体の泡立て器であって、
前記液状体は、建設資材であることを特徴とする泡立て器。
【請求項１９】
請求項１から請求項１２までのいずれかの液状体の泡立て器であって、
前記液状体は、産業機械油類であることを特徴とする泡立て器。
【手続補正書】
【提出日】令和1年11月25日(2019.11.25)
【手続補正１】
【補正対象書類名】実用新案登録請求の範囲
【補正対象項目名】全文
【補正方法】変更
【補正の内容】
【実用新案登録請求の範囲】
【請求項１】
液状体を収納する上下に延びる収納部と、
前記液状体を出し入れすべく、前記収納部の上部に設けられた開閉部と、
前記収納部の内部であって、上部に固定され、振動及び揺動が可能なコイルばねとを有し、
前記コイルばねの長さは、前記収納部の内側の高さの６０パーセントから８０パーセントであり、
前記コイルばねを構成する線と隣合う線との間隔の長さ、すなわちピッチが、上から順に、前記コイルばねを構成する線の直径の５０パーセント、７５パーセント、１００パーセント、１２５パーセント、１５０パーセントと徐々に広がり、下部においては０パーセントの部分が３巻きから５巻きとなっていて、下部は固定されずに解放されており、
分散させる物と液体とが混合された状態の液状体を収納し、振ることにより前記分散させる物を前記液体に分散させるとともに、泡立てることを実現する液状体の泡立て器。
【請求項２】
液状体を収納する上下に延びる収納部と、
前記液状体を出し入れすべく、前記収納部の上部に設けられた開閉部と、
前記収納部の内部であって、上部に固定され、振動及び揺動が可能なコイルばねとを有し、
前記コイルばねの長さは、前記収納部の内側の高さの６０パーセントから８０パーセントであり、
前記コイルばねを構成する線と隣合う線との間隔の長さ、すなわちピッチが、上から順に、前記コイルばねを構成する線の直径の５０パーセント、７５パーセント、１００パーセント、１２５パーセントと徐々に広がり、下部においては０パーセントの部分が３巻きから５巻きとなっていて、下部は固定されずに解放されており、
分散させる物と液体とが混合された状態の液状体を収納し、振ることにより前記分散させる物を前記液体に分散させるとともに、泡立てることを実現する液状体の泡立て器。
【請求項３】
液状体を収納する上下に延びる収納部と、
前記液状体を出し入れすべく、前記収納部の上部に設けられた開閉部と、
前記収納部の内部であって、上部に固定され、振動及び揺動が可能なコイルばねとを有し、
前記コイルばねの長さは、前記収納部の内側の高さの６０パーセントから８０パーセントであり、
前記コイルばねを構成する線と隣合う線との間隔の長さ、すなわちピッチが、上から順に、前記コイルばねを構成する線の直径の１２５パーセント、１００パーセント、７５パーセント、５０パーセントと徐々に狭まり、さらに、５０パーセント、７５パーセント、１００パーセント、１２５パーセントと徐々に広がり、下部においては０パーセントの部分が３巻きから５巻きとなっていて、下部は固定されずに解放されており、
分散させる物と液体とが混合された状態の液状体を収納し、振ることにより前記分散させる物を前記液体に分散させるとともに、泡立てることを実現する液状体の泡立て器。
【請求項４】
前記コイルバネの材質が、鉄、鋼、ステンレス、チタン、チタン合金、プラスチックのなかのいずれかからなることを特徴とする請求項１から３までのいずれか１項に記載した液状体の泡立て器。
【請求項５】
前記コイルバネを構成する線の直径が１ミリメートルから２ミリメートルであることを特徴とする請求項１から請求項４までのいずれか１項に記載の液状体の泡立て器。
【請求項６】
前記開閉部をねじ式キャップとし、前記収納部の上部に着脱可能な内ぶたを設けて、当該内ぶたは、前記コイルばねの上部を固定することができる形状及び構造を有しており、
前記内ぶた及び前記コイルバネは、はずして洗浄及びメンテナンスが可能であることを特徴とする請求項１から請求項５までのいずれか１項に記載の液状体の泡立て器。
【請求項７】
前記内ぶたは、その中央部が大きく開口し、その周辺部は注ぎ出す際に液状体の流れを導きやすいように、外側から内側に向けて尖った形状を有しており、
前記内ぶた及び前記コイルばねを取り付けたままの状態で、液状体の出し入れが容易にできることを特徴とする請求項６に記載の液状体の泡立て器。
【請求項８】
前記開閉部を構成するねじ式キャップを締めることで、前記内ぶたが固定され、それにより前記コイルばねの固定がなされるような形状及び構造を有し、
使用者は、液状体を収納部に収納した状態で泡立て器全体を手で振り、それにより前記コイルばねを振動及び揺動させることが可能であることを特徴とする請求項６又は請求項７に記載の液状体の泡立て器。
【請求項９】
前記開閉部を構成するねじ式キャップの内側の上部と、前記収納部の上端とが接する部分にパッキンを設け、
前記泡立て器の密閉性を高めて、泡立て器全体を使用者が手に持って振る際の液漏れを防ぐことができることを特徴とする請求項６から請求項８までのいずれか１項に記載の泡立て器。
【請求項１０】
前記開閉部を前記収納部の上部のみならず下部にも設け、
液状体の出し入れをしやすくすることを特徴とする請求項６から請求項９までのいずれか１項に記載の泡立て器。
【請求項１１】
前記開閉部を構成するねじ式キャップの外側の端の部分は、広く平らにし、
前記開閉部の側を下にしてテーブルなどの上に置くことができることを特徴とする請求項６から請求項１０までのいずれか１項に記載の泡立て器。
【請求項１２】
請求項１から請求項１１までのいずれかの液状体の泡立て器であって、
前記液状体は、油相と水相とからなる調味料であることを特徴とする泡立て器。
【請求項１３】
請求項１から請求項１１までのいずれかの液状体の泡立て器であって、
前記液状体は、食材であることを特徴とする泡立て器。
【請求項１４】
請求項１から請求項１１までのいずれかの液状体の泡立て器であって、
前記液状体は飲料であることを特徴とする泡立て器。
【請求項１５】
請求項１から請求項１１までのいずれかの液状体の泡立て器であって、
前記液状体は、洗顔料であることを特徴とする泡立て器。
【請求項１６】
請求項１から請求項１１までのいずれかの液状体の泡立て器であって、
前記液状体は、整髪料であることを特徴とする泡立て器。
【請求項１７】
請求項１から請求項１１までのいずれかの液状体の泡立て器であって、
前記液状体は、洗剤であることを特徴とする泡立て器。
【請求項１８】
請求項１から請求項１１までのいずれかの液状体の泡立て器であって、
前記液状体は、建設資材であることを特徴とする泡立て器。
【請求項１９】
請求項１から請求項１１までのいずれかの液状体の泡立て器であって、
前記液状体は、産業機械油類であることを特徴とする泡立て器。